(57)【要約】【課題】機器の交換の手間を減らしつつ、部材点数が増加する可能性を低減できる電力計測システム、情報変更方法及びプログラムを提供する。【解決手段】電力計測システム１０は、処理部１４１と、通信部（例えば、増設用接続部ＣＮ４及びコネクタＣＮ８）と、を備える。処理部１４１は、回路に流れる電流を検出する電流センサ１７（又は２７）の検出結果に基づいて、回路の電力を動作プログラムに従って求める。通信部は、検出結果に関する情報を出力する又は当該情報の入力を受け付ける。通信部に特定の情報が入力されることをトリガとして、動作プログラムが変更される。【選択図】図１
2020106311.tif 000002
【特許請求の範囲】
【請求項１】
回路に流れる電流を検出する電流センサの検出結果に基づいて、前記回路の電力を動作プログラムに従って求める処理部と、
前記検出結果に関する情報を出力する又は前記情報の入力を受け付ける通信部と、を備え、
前記通信部に特定の情報が入力されることをトリガとして、前記動作プログラムが変更される、
電力計測システム。
【請求項２】
前記通信部は、前記電流センサを電気的に接続可能な増設ユニットを接続可能な増設用接続部を含む、
請求項１に記載の電力計測システム。
【請求項３】
前記増設ユニットを更に備え、
前記増設ユニットは、変更情報が入力される入力部を備え、
前記増設ユニットの前記入力部に前記変更情報が入力されることをトリガとして、前記増設ユニットを動作させるためのプログラムが変更される、
請求項２に記載の電力計測システム。
【請求項４】
前記特定の情報は、前記増設ユニットの前記入力部を介して前記通信部に入力される、
請求項３に記載の電力計測システム。
【請求項５】
前記通信部は、記憶メディアが接続される記憶メディア接続部を含む、
請求項１〜４のいずれか一項に記載の電力計測システム。
【請求項６】
前記通信部は、外部装置と通信する外部通信部を含む、
請求項１〜５のいずれか一項に記載の電力計測システム。
【請求項７】
前記処理部は、動作モードとして、前記動作プログラムを実行する第１のモードと、前記動作プログラムの変更を行う第２のモードと、を有し、
前記通信部に前記特定の情報が入力されると、前記動作モードが前記第２のモードになる、
請求項１〜６のいずれか一項に記載の電力計測システム。
【請求項８】
前記動作プログラムの変更が完了すると、前記通信部は、前記動作プログラムの変更の完了を通知する通知信号を出力する、
請求項１〜７のいずれか一項に記載の電力計測システム。
【請求項９】
前記通信部に前記特定の信号及び前記動作プログラムに関する情報を出力する出力装置を更に備え、
前記出力装置は、前記動作プログラムの変更に係る処理の進捗状況を提示する提示部を備える、
請求項１〜８のいずれか一項に記載の電力計測システム。
【請求項１０】
回路に流れる電流を検出する電流センサの検出結果に基づいて、前記回路の電力を動作プログラムに従って求める処理部と、
情報を記憶する記憶部と、
前記電流センサを電気的に接続可能な増設ユニットを接続可能な増設用接続部と、を備え、
前記増設用接続部に特定の情報が入力されることをトリガとして、前記記憶部に記憶された前記情報が変更される、
電力計測システム。
【請求項１１】
回路に流れる電流を検出する電流センサの検出結果に基づいて、前記回路の電力を動作プログラムに従って求める処理部と、
前記検出結果に関する情報を出力する又は前記情報の入力を受け付ける通信部と、を備える電力計測システムにおいて、
前記通信部に特定の情報が入力されることをトリガとして、前記動作プログラムを変更する、
情報変更方法。
【請求項１２】
回路に流れる電流を検出する電流センサの検出結果に基づいて、前記回路の電力を動作プログラムに従って求める処理部と、
情報を記憶する記憶部と、
前記電流センサを電気的に接続可能な増設ユニットを接続可能な増設用接続部と、を備える電力計測システムにおいて、
前記増設用接続部に特定の情報が入力されることをトリガとして、前記記憶部に記憶された前記情報を変更する、
情報変更方法。
【請求項１３】
請求項１１又は１２に記載の情報変更方法を、コンピュータシステムに実行させるための、
プログラム。
【発明の詳細な説明】
【技術分野】
【０００１】
本開示は電力計測システム、情報変更方法及びプログラムに関し、より詳細には、回路の電力を求める電力計測システム、情報変更方法及びプログラムに関する。
【背景技術】
【０００２】
特許文献１記載の電力計測器は、信号線を介して互いに電気的に接続する基本ユニットと増設ユニットとを備える。基本ユニットは、測定対象の回路電圧を降圧した電圧検出信号を生成し、この生成した電圧検出信号を信号線に出力する電圧検出部と、電圧検出信号を補正し、この補正した電圧検出信号を用いて電力を求める第１の演算部とを備える。増設ユニットは、信号線を介して入力された電圧検出信号を補正し、この補正した電圧検出信号を用いて電力を求める第２の演算部を備える。
【先行技術文献】
【特許文献】
【０００３】
【特許文献１】特開２０１６−０５７３２１号公報
【発明の概要】
【発明が解決しようとする課題】
【０００４】
特許文献１記載の電力計測器では、基本ユニットの第１の演算部を動作させるためのプログラムを更新するためには、設置済みの基本ユニット自体を交換する作業が必要となる。また、設置済みの基本ユニットを交換する作業の負担を低減するために、基本ユニットに、書換え用のプログラムを入力するための端子を設けることも考えられる。しかしながら、このような端子を設けることで、基本ユニットの部材点数が増加し、基本ユニットのコストの上昇につながる可能性がある。
【０００５】
本開示は、機器の交換の手間を減らしつつ、部材点数が増加する可能性を低減できる電力計測システム、情報変更方法及びプログラムを提供することを目的とする。
【課題を解決するための手段】
【０００６】
本開示の一態様に係る電力計測システムは、処理部と、通信部と、を備える。前記処理部は、回路に流れる電流を検出する電流センサの検出結果に基づいて、前記回路の電力を動作プログラムに従って求める。前記通信部は、前記検出結果に関する情報を出力する又は前記情報の入力を受け付ける。前記通信部に特定の情報が入力されることをトリガとして、前記動作プログラムが変更される。
【０００７】
本開示の別の一態様に係る電力計測システムは、処理部と、記憶部と、増設用接続部と、を備える。前記処理部は、回路に流れる電流を検出する電流センサの検出結果に基づいて、前記回路の電力を動作プログラムに従って求める。前記記憶部は、情報を記憶する。前記増設用接続部は、増設ユニットを接続可能である。前記増設ユニットは、前記電流センサを電気的に接続可能である。前記増設用接続部に特定の情報が入力されることをトリガとして、前記記憶部に記憶された前記情報が変更される。
【０００８】
本開示の一態様に係る情報変更方法は、回路に流れる電流を検出する電流センサの検出結果に基づいて、前記回路の電力を動作プログラムに従って求める処理部と、前記検出結果に関する情報を出力する又は前記情報の入力を受け付ける通信部と、を備える電力計測システムにおいて、前記通信部に特定の情報が入力されることをトリガとして、前記動作プログラムを変更する。
【０００９】
本開示の別の一態様に係る情報変更方法は、回路に流れる電流を検出する電流センサの検出結果に基づいて、前記回路の電力を動作プログラムに従って求める処理部と、情報を記憶する記憶部と、前記電流センサを電気的に接続可能な増設ユニットを接続可能な増設用接続部と、を備える電力計測システムにおいて、前記増設用接続部に特定の情報が入力されることをトリガとして、前記記憶部に記憶された前記情報を変更する。
【００１０】
本開示の一態様に係るプログラムは、上述のいずれかの情報変更方法を、コンピュータシステムに実行させる。
【発明の効果】
【００１１】
本開示は、機器の交換の手間を減らしつつ、部材点数が増加する可能性を低減できるという利点がある。
【図面の簡単な説明】
【００１２】
【図１】図１は、一実施形態に係る電力計測システムの概略図である。
【図２】図２は、同上の電力計測システムのブロック図である。
【図３】図３は、同上の電力計測システムの動作例を示すタイムチャートである。
【発明を実施するための形態】
【００１３】
以下、実施形態に係る電力計測システム、情報変更方法及びプログラムについて、図面を用いて説明する。ただし、下記の実施形態は、本開示の様々な実施形態の１つに過ぎない。下記の実施形態は、本開示の目的を達成できれば、設計等に応じて種々の変更が可能である。
【００１４】
（１）構成
本実施形態の電力計測システム１０は、図１に示すように、基本ユニット１と、１以上（図１では２つ）の増設ユニット２とを備えている。基本ユニット１には、１以上の増設ユニット２を連結可能である。電力計測システム１０は、例えば、工場又は事務所等の需要家において、分電盤のキャビネット内に配置されて用いられる。電力計測システム１０は、３相４線式の回路ＥＣ１（図２参照）を測定対象とし、３相（Ｒ、Ｓ、Ｔ）の電圧及び３相（Ｒ、Ｓ、Ｔ）の電流を検出して、回路ＥＣ１の電力を求める。ここで、「回路ＥＣ１の電力」とは、回路ＥＣ１のある計測点において供給される電力の瞬時値、及び、回路ＥＣ１のある計測点において所定の期間に供給される電力量のうち少なくとも一方を意味する。また、本実施形態では、電力計測システム１０で求められる「電力」は有効電力であるが、皮相電力又は無効電力であってもよい。
【００１５】
基本ユニット１は、処理部１４１と、電圧入力部１８と、信号変換部１３とを備えている。電圧入力部１８は、例えば、回路ＥＣ１の電圧線が接続される端子である。信号変換部１３は、複数（図１では４つ）の電流センサ１７に接続されている。処理部１４１には、電圧入力部１８を介して回路ＥＣ１の電圧の情報が入力され、信号変換部１３を介して回路ＥＣ１の電流の情報が入力される。
【００１６】
複数の増設ユニット２の一端には、出力装置３を接続可能である。基本ユニット１の増設用接続部ＣＮ４（通信部）には、出力装置３から複数の増設ユニット２を介して、特定の情報を含む信号（第１の信号Ｓｉｇ１）が入力される。
【００１７】
処理部１４１は、各電流センサ１７の検出結果に基づいて、回路ＥＣ１の電力をプログラム（動作プログラム）に従って求める。そして、処理部１４１は、増設用接続部ＣＮ４に特定の情報が入力されることをトリガとして、動作プログラムを変更する。
【００１８】
以下、図２を参照して、電力計測システム１０の構成についてより詳細に説明する。
【００１９】
基本ユニット１は、制御部１４と、増設用接続部ＣＮ４とを備えている。基本ユニット１は、電圧検出部１１ｒ、１１ｓ、１１ｔと、信号線１２ｒ、１２ｓ、１２ｔと、信号変換部１３とを更に備えている。
【００２０】
電圧検出部１１ｒ、１１ｓ、１１ｔは、回路ＥＣ１の各相に接続されて、回路電圧Ｖｒ、Ｖｓ、Ｖｔを検出する。
【００２１】
電圧検出部１１ｒ、１１ｓ、１１ｔの各々は、回路ＥＣ１の各両端間に直列接続された抵抗１１１、１１２と、抵抗１１１、１１２の間の電圧（抵抗１１１、１１２の分圧）が入力される増幅部１１３とを備えている。増幅部１１３は、分圧にバイアスをかけることによって、出力電圧波形を、所定範囲（例えば０〜５Ｖ）に収める。そして、電圧検出部１１ｒ、１１ｓ、１１ｔの各増幅部１１３の出力端は、信号線１２ｒ、１２ｓ、１２ｔに接続されている。すなわち、電圧検出部１１ｒ、１１ｓ、１１ｔの出力は、回路電圧Ｖｒ、Ｖｓ、Ｖｔを降圧した信号（以下、電圧検出信号と称す）であり、この電圧検出信号が信号線１２ｒ、１２ｓ、１２ｔに出力される。
【００２２】
また、信号変換部１３は、複数（図２では４つ）の電流センサ１７に接続されている。各電流センサ１７は、電力計測システム１０の外部に配置された機器である。各電流センサ１７は、例えば、変流器（ＣＴ：Current Transformer）である。各電流センサ１７は、回路ＥＣ１に流れる電流を検出し、検出結果を電流信号として信号変換部１３へ出力する。信号変換部１３は、各電流センサ１７からの電流信号を電圧に変換し、制御部１４へ出力する。以下では、信号変換部１３から制御部１４へ出力される信号（電圧）を、電流検出信号と称す。
【００２３】
制御部１４は、処理部１４１と、記憶部１４２と、モード切替部１４３と、を有している。記憶部１４２は、例えば、ＲＯＭ（Read Only Memory）、ＲＡＭ（Random Access Memory）又はＥＥＰＲＯＭ（Electrically Erasable Programmable Read Only Memory）等である。
【００２４】
制御部１４は、プロセッサ及びメモリを主構成とするマイクロコントローラにより構成されている。制御部１４のプロセッサがメモリに格納されているプログラムを実行することにより、制御部１４における処理部１４１及びモード切替部１４３としての機能が実現される。プロセッサが実行するプログラムは、ここではマイクロコントローラのメモリに予め記録されているが、メモリカード等の非一時的な記録媒体に記録されて提供されてもよいし、電気通信回線を通じて提供されてもよい。また、本実施形態では、記憶部１４２が制御部１４のメモリとして機能する。つまり、記憶部１４２は、制御部１４を動作させるためのプログラム（動作プログラム）を記憶している。
【００２５】
また、記憶部１４２は、基本ユニット１の識別情報を記憶している。識別情報は、例えば、基本ユニット１の品番である。
【００２６】
各電流センサ１７からの電流信号は、信号変換部１３を経由して電流検出信号として制御部１４に入力される。また、電圧検出部１１ｒ、１１ｓ、１１ｔからの電圧検出信号は、信号線１２ｒ、１２ｓ、１２ｔを介して制御部１４に入力される。制御部１４は、電圧検出信号及び電流検出信号をＡ／Ｄ変換する。処理部１４１は、回路ＥＣ１の電力を求める。処理部１４１は、例えば、電圧検出信号の誤差と電流検出信号の誤差とをそれぞれ補正する。具体例として、処理部１４１は、記憶部１４２に記憶された補正係数を電圧検出信号に乗じることにより、電圧検出信号の誤差を補正する。処理部１４１は、記憶部１４２に記憶された別の補正係数を電流検出信号に乗じることにより、電流検出信号の誤差を補正する。各補正係数は、電力計測システム１０の製造時に、理論値と測定値とを比較することで決定される。処理部１４１は、補正後の電圧検出信号と補正後の電流検出信号とを乗算することで、回路ＥＣ１の電力を求める。本実施形態では、基本ユニット１には４つの電流センサ１７が接続可能なので、処理部１４１は、最大４つの計測点における電力を求める。また、処理部１４１は、電圧検出信号及び電流検出信号と、分電盤に設置された無効電力計の測定値とに基づいて、回路ＥＣ１の力率を求める。
【００２７】
また、処理部１４１は、プログラムを実行することにより、基本ユニット１全体の制御をも行う。すなわち、処理部１４１は、基本ユニット１に含まれる回路（例えば、電圧検出部１１ｒ、１１ｓ、１１ｔ及び信号変換部１３）の動作を制御する。
【００２８】
制御部１４は、信号線を介して、増設用接続部ＣＮ４に接続されている。増設用接続部ＣＮ４は、例えば、コネクタである。
【００２９】
モード切替部１４３は、処理部１４１の動作モードを、第１のモードと第２のモードとの間で切り替える。処理部１４１は、第１のモードでは、記憶部１４２に記憶されたプログラムを実行することで回路ＥＣ１の電力を求める。処理部１４１は、第２のモードでは、記憶部１４２に記憶されたプログラムの変更を行う。第２のモードについて、詳しくは後述する。ここで、プログラムの変更とは、プログラムの一部又は全部の書換えを含む。また、プログラムの変更とは、例えば、記憶部１４２が複数のプログラムを記憶しており、記憶部１４２に記憶された指定情報により、複数のプログラムのうち処理部１４１で実行されるプログラムが指定されている場合に、指定情報を変更することを含む。また、プログラムの変更とは、基本ユニット１と通信する装置が複数のプログラムを記憶しており、記憶部１４２に記憶された指定情報により、複数のプログラムのうち処理部１４１で実行されるプログラムが指定されている場合に、指定情報を変更することを含む。複数のプログラムを記憶した装置は、例えば、ネットワークを介して電力計測システム１０と通信するサーバであってもよい。本実施形態では、一例として、第２のモードでは処理部１４１は、記憶部１４２に記憶されたプログラムの少なくとも一部の書換えを行う。
【００３０】
基本ユニット１は、外部通信部１５と、記憶メディア接続部（以下、接続部１６と称す）と、出力コネクタＣＮ１と、コネクタＣＮ８とを更に備えている。
【００３１】
外部通信部１５は、外部装置との間で通信する機能を有している。外部装置は、増設ユニット２以外の装置である。本実施形態では一例として、外部装置は、ＨＥＭＳ（Home Energy Management System）に対応する機器（以下、ＨＥＭＳ対応機器という）の制御又は監視を行うように構成されたコントローラである。コントローラは、電力計測システム１０の外部に配置された機器である。ＨＥＭＳ対応機器は、例えばスマートメータ、太陽光発電装置、蓄電装置、燃料電池、電気自動車、エアコン、照明器具、給湯装置、冷蔵庫、又はテレビ受像機等を含む。
【００３２】
外部通信部１５とコントローラとの間の通信方式は、例えば、９２０ＭＨｚ帯の特定小電力無線局（免許を要しない無線局）、Ｗｉ−Ｆｉ（登録商標）、又はＢｌｕｅｔｏｏｔｈ（登録商標）等の通信規格に準拠した、電波を媒体とした無線通信である。外部通信部１５とコントローラとの間の通信方式は、有線ＬＡＮ（Local Area Network）等の通信規格に準拠した有線通信であってもよい。また、外部通信部１５とコントローラとの間の通信における通信プロトコルは、例えば、ＲＳ−４８５、Ｅｔｈｅｒｎｅｔ（登録商標）、ＥＣＨＯＮＥＴ  Ｌｉｔｅ（登録商標）等である。
【００３３】
接続部１６には、記憶メディアが接続される。本実施形態では一例として、記憶メディアは、ＳＤカードである。すなわち、接続部１６は、ＳＤカード用のスロットである。ＳＤカードは、接続部１６に接続されると、制御部１４との間で通信可能となる。
【００３４】
出力コネクタＣＮ１は、信号線１２ｒ、１２ｓ、１２ｔに接続されている。出力コネクタＣＮ１は、増設用接続部ＣＮ４と一体に形成されている。コネクタＣＮ８は、制御部１４に接続されている。
【００３５】
電力計測システム１０は、表示装置４を更に備えている。表示装置４は、コネクタＣＮ９と、表示部４１と、操作部４２とを備えている。
【００３６】
コネクタＣＮ９は、基本ユニット１のコネクタＣＮ８に接続されている。表示装置４は、コネクタＣＮ９を介して、基本ユニット１と通信可能である。
【００３７】
表示部４１は、例えば、液晶ディスプレイ又は有機ＥＬ（Electroluminescence）ディスプレイ等のディスプレイである。表示部４１は、情報を表示する。表示部４１が表示する情報は、例えば、処理部１４１で求められた、回路ＥＣ１の電力の値である。それ以外に、表示部４１が表示する情報は、例えば、電圧検出信号に基づく電圧実効値、電流検出信号に基づく電流実効値、及び、回路ＥＣ１の力率等である。
【００３８】
操作部４２は、例えば、複数の釦を含む。操作部４２は、電力計測システム１０に関する設定操作を受け付ける。作業者が操作部４２に設定操作を行うことにより、例えば、表示部４１に表示される内容が変更される。
【００３９】
複数の増設ユニット２は互いに同じ構成を有している。増設ユニット２は、信号線２１ｒ、２１ｓ、２１ｔと、信号変換部２３と、制御部２４と、入力コネクタＣＮ２と、出力コネクタＣＮ３と、通信コネクタＣＮ５と、入力部ＣＮ６（コネクタ）とを備えている。
【００４０】
入力コネクタＣＮ２及び出力コネクタＣＮ３は、信号線２１ｒ、２１ｓ、２１ｔにより互いに接続されている。各増設ユニット２の出力コネクタＣＮ３は、別の増設ユニット２の入力コネクタＣＮ２に接続可能である。つまり、複数の増設ユニット２は、入力コネクタＣＮ２及び出力コネクタＣＮ３をそれぞれ接続することにより、直列に接続可能である。また、基本ユニット１は、直列に接続された複数の増設ユニット２の一端に接続される。より詳細には、基本ユニット１の出力コネクタＣＮ１は、増設ユニット２の入力コネクタＣＮ２に接続される。これにより、基本ユニット１の信号線１２ｒ、１２ｓ、１２ｔが、各増設ユニット２の信号線２１ｒ、２１ｓ、２１ｔに電気的に接続され、信号線１２ｒ、１２ｓ、１２ｔから各増設ユニット２の信号線２１ｒ、２１ｓ、２１ｔに電圧検出信号が出力される。
【００４１】
また、信号変換部２３は、複数（図２では４つ）の電流センサ２７に接続されている。各電流センサ２７は、電力計測システム１０の外部に配置された機器である。各電流センサ２７は、例えば、変流器（ＣＴ：Current Transformer）である。各電流センサ２７は、回路ＥＣ１に流れる電流を検出し、検出結果を電流信号として信号変換部２３へ出力する。信号変換部２３は、各電流センサ２７からの電流信号を電圧に変換し、制御部２４へ出力する。信号変換部２３から制御部２４へ出力される信号（電圧）は、基本ユニット１における電流検出信号とは別の、増設ユニット２における電流検出信号である。すなわち、基本ユニット１に接続された電流センサ１７と、増設ユニット２に接続された電流センサ２７とは、測定対象となる３相４線式の回路ＥＣ１において、互いに異なる箇所の電流を検出する。例えば、電流センサ１７は主幹電流を検出し、電流センサ２７は分岐電流を検出する。さらに、増設ユニット２ごとに、電流の検出箇所は異なる。なお、電力計測システム１０は、３相４線式の回路ＥＣ１において、３相４線の系統、単相２線の系統のそれぞれの電力を検出する構成でもよい。
【００４２】
制御部２４は、処理部２４１と、記憶部２４２と、モード切替部２４３と、を有している。記憶部２４２は、例えば、ＲＯＭ（Read Only Memory）、ＲＡＭ（Random Access Memory）又はＥＥＰＲＯＭ（Electrically Erasable Programmable Read Only Memory）等である。
【００４３】
制御部２４は、プロセッサ及びメモリを主構成とするマイクロコントローラにより構成されている。制御部２４のプロセッサがメモリに格納されているプログラムを実行することにより、制御部２４における処理部２４１及びモード切替部２４３としての機能が実現される。プロセッサが実行するプログラムは、ここではマイクロコントローラのメモリに予め記録されているが、メモリカード等の非一時的な記録媒体に記録されて提供されてもよいし、電気通信回線を通じて提供されてもよい。また、本実施形態では、記憶部２４２が制御部２４のメモリとして機能する。つまり、記憶部２４２は、制御部２４を動作させるためのプログラムを記憶している。
【００４４】
また、記憶部２４２は、増設ユニット２の識別情報を記憶している。識別情報は、例えば、増設ユニット２の品番である。
【００４５】
各電流センサ２７からの電流信号は、信号変換部２３を経由して電流検出信号として制御部２４に入力される。また、電圧検出部１１ｒ、１１ｓ、１１ｔからの電圧検出信号は、信号線２１ｒ、２１ｓ、２１ｔを介して制御部２４に入力される。制御部２４は、電圧検出信号及び電流検出信号をＡ／Ｄ変換する。処理部２４１は、回路ＥＣ１の電力を求める。処理部２４１は、例えば、電圧検出信号の誤差と電流検出信号の誤差とをそれぞれ補正する。補正は、基本ユニット１の処理部１４１と同様に、記憶部２４２に記憶された補正係数を用いて行う。処理部２４１は、補正後の電圧検出信号と補正後の電流検出信号とを乗算することで、回路ＥＣ１の電力を求める。本実施形態では、１つの増設ユニット２につき４つの電流センサ２７を接続可能なので、各増設ユニット２の処理部２４１は、最大４つの計測点における電力を求める。また、処理部２４１は、電圧検出信号及び電流検出信号と、分電盤に設置された無効電力計の測定値とに基づいて、回路ＥＣ１の力率を求める。
【００４６】
また、処理部２４１は、プログラムを実行することにより、増設ユニット２全体の制御をも行う。すなわち、処理部２４１は、増設ユニット２に含まれる回路（例えば、信号変換部２３）の動作を制御する。
【００４７】
制御部２４は、信号線を介して、通信コネクタＣＮ５及び入力部ＣＮ６に接続されている。また、増設ユニット２の本体部（筐体）からは、信号線としてのケーブルが延びており、通信コネクタＣＮ５は、ケーブルの先端に取り付けられている。
【００４８】
モード切替部２４３は、処理部２４１の動作モードを、第１のモードと第２のモードとの間で切り替える。処理部２４１は、第１のモードでは、記憶部２４２に記憶されたプログラムを実行することで回路ＥＣ１の電力を求める。処理部２４１は、第２のモードでは、記憶部２４２に記憶されたプログラムの変更を行う。本実施形態では、一例として、処理部２４１は、第２のモードでは記憶部２４２に記憶されたプログラムの少なくとも一部の書換えを行う。第２のモードについて、詳しくは後述する。
【００４９】
基本ユニット１では、複数の電流センサ１７で検出された電流に基づいて、回路ＥＣ１のうち複数の電流センサ１７の計測点の電力を処理部１４１が求める。処理部１４１で求められた電力の値の情報は、コネクタＣＮ８を介して表示装置４に入力される。また、増設ユニット２では、複数の電流センサ２７で検出された電流に基づいて、回路ＥＣ１のうち複数の電流センサ２７の計測点の電力を処理部２４１が求める。処理部２４１で求められた電力の値の情報は、基本ユニット１の制御部１４に入力される。より詳細には、基本ユニット１の制御部１４は、増設ユニット２に対して要求信号を送信し、これに応じて増設ユニット２の制御部１４は、処理部２４１で求められた電力の値の情報を基本ユニット１に送信する。ここで、処理部２４１で求められた電力の値の情報は、増設ユニット２の通信コネクタＣＮ５と基本ユニット１の増設用接続部ＣＮ４とを介して、制御部１４に入力される。このように、増設用接続部ＣＮ４は、電流センサ２７の検出結果に関する情報を受信（入力）するために用いられる。
【００５０】
処理部２４１で求められた電力の値の情報は、さらに、コネクタＣＮ８を介して表示装置４に入力される。このように、コネクタＣＮ８は、電流センサ１７、２７の検出結果に関する情報を送信（出力）するために用いられる。
【００５１】
表示装置４の表示部４１は、回路ＥＣ１のうち各電流センサ１７、２７の計測点の電力の値を表示する。また、表示部４１は、電圧検出信号に基づく電圧実効値、電流検出信号に基づく電流実効値、及び、回路ＥＣ１の力率等を表示する。
【００５２】
また、外部通信部１５は、回路ＥＣ１の電力の値の情報をコントローラに送信することができる。また、回路ＥＣ１の電力の値の情報は、接続部１６に接続された記憶メディア（ＳＤカード）に記憶させることができる。すなわち、外部通信部１５及び接続部１６は、電流センサ１７、２７の検出結果に関する情報を送信（出力）するために用いられる。
【００５３】
電力計測システム１０は、出力装置３を接続可能に構成されている。出力装置３は、基本ユニット１の記憶部１４２に記憶されたプログラムに関する情報及び、各増設ユニット２の記憶部２４２に記憶されたプログラムを変更するための信号を出力する装置である。そのため、出力装置３は、プログラムを変更する際にのみ、電力計測システム１０に接続して用いられる。プログラムに関する情報とは、例えば、書換え用のプログラムそのもの、又は、書換え前のプログラムと書換え後のプログラムとの差分情報である。本実施形態の出力装置３は、プログラムに関する情報として、書換え用のプログラムそのものを含む信号を出力する。書換え用のプログラムとは、処理部１４１の機能を実現するためのプログラムであって、記憶部１４２に既に記憶されているプログラムと置き換えられるプログラムを意味する。
【００５４】
本実施形態では、出力装置３は、電力計測システム１０の構成要素に含まれないが、出力装置３は、電力計測システム１０の構成要素に含まれていてもよい。
【００５５】
出力装置３は、処理部３１と、記憶部３２と、提示部３３と、入力部３４と、操作部３５と、出力端子ＣＮ７とを備えている。
【００５６】
記憶部３２は、例えば、ＲＯＭ（Read Only Memory）、ＲＡＭ（Random Access Memory）又はＥＥＰＲＯＭ（ElectricallyErasable Programmable Read Only Memory）等である。
【００５７】
出力装置３は、プロセッサ及びメモリを主構成とするマイクロコントローラを含む。出力装置３のプロセッサがメモリに格納されているプログラムを実行することにより、出力装置３における処理部３１としての機能が実現される。プロセッサが実行するプログラムは、ここではマイクロコントローラのメモリに予め記録されているが、メモリカード等の非一時的な記録媒体に記録されて提供されてもよいし、電気通信回線を通じて提供されてもよい。また、本実施形態では、記憶部３２が出力装置３のメモリとして機能する。
【００５８】
入力部３４には、記憶メディアが接続される。本実施形態では一例として、記憶メディアは、ＳＤカードである。すなわち、入力部３４は、ＳＤカード用のスロットである。ＳＤカードは、入力部３４に接続されると、処理部３１との間で通信可能となる。
【００５９】
操作部３５は、例えば、複数の釦を含む。操作部３５は、処理部３１の動作を決定するための作業者の操作を受け付ける。
【００６０】
出力端子ＣＮ７は、増設ユニット２の入力部ＣＮ６（コネクタ）に接続可能なコネクタである。処理部３１は、出力端子ＣＮ７を介して増設ユニット２と通信する。処理部３１から増設ユニット２へ出力される信号は、例えば、増設ユニット２の記憶部２４２に記憶されたプログラムを書き換えるための情報、基本ユニット１の記憶部１４２に記憶されたプログラムを書き換えるための情報、特定の情報及び変更情報のうち、少なくとも１つを含む。特定の情報は、基本ユニット１の処理部１４１でプログラムの書換えが開始されるトリガとなる情報である。変更情報は、増設ユニット２の処理部２４１でプログラムの書換えが開始されるトリガとなる情報である。
【００６１】
また、基本ユニット１の増設用接続部ＣＮ４は、増設ユニット２の入力部ＣＮ６と同じ形状であって、出力装置３の出力端子ＣＮ７を接続可能である。そのため、処理部３１は、基本ユニット１とも通信可能である。また、出力装置３の出力端子ＣＮ７が増設ユニット２の入力部ＣＮ６に接続された状態で、処理部３１は、増設ユニット２を介して基本ユニット１と通信することも可能である。
【００６２】
処理部３１と、基本ユニット１及び増設ユニット２との通信は、出力装置３の操作部３５に対する作業者の操作に応じて開始されてもよいし、出力端子ＣＮ７が入力部ＣＮ６又は増設用接続部ＣＮ４に接続されることをトリガとして開始されてもよい。
【００６３】
提示部３３は、例えば、液晶ディスプレイ又は有機ＥＬディスプレイ等のディスプレイを含む。提示部３３は、基本ユニット１の記憶部１４２に記憶されたプログラムの変更に係る処理の進捗状況を提示する。また、提示部３３は、増設ユニット２の記憶部２４２に記憶されたプログラムの変更に係る処理の進捗状況を提示する。ここで、「提示」とは、ディスプレイに文字及び画像等を表示すること等による視覚的な提示、音声等による聴覚的な提示、及び、これらの組み合わせを含む。
【００６４】
（２）プログラムの書換えの手順
次に、図２、３を参照して、基本ユニット１の記憶部１４２に記憶されたプログラムの書換えの手順の一例について説明する。最初に、図２のように、基本ユニット１には、１つの増設ユニット２が接続され、基本ユニット１に接続された増設ユニット２に別の１つの増設ユニット２が接続されているとする。また、初期状態では、基本ユニット１の処理部１４１の動作モードは、第１のモードであるとする。
【００６５】
作業者は、まず、プログラムを書き換えるための情報が記憶されたＳＤカードを、出力装置３の入力部３４に接続する。プログラムを書き換えるための情報は、例えば、基本ユニット１の識別情報と、書換え用のプログラムとを含む。ＳＤカードが入力部３４に接続されると、提示部３３は、ＳＤカードに記憶された内容に応じた表示をする。例えば、基本ユニット１の識別情報と書換え用のプログラムとがＳＤカードに記憶されている場合は、提示部３３には、基本ユニット１の記憶部１４２に記憶されたプログラムを書き換える処理を開始可能である旨が表示される。
【００６６】
さらに、作業者は、出力装置３の出力端子ＣＮ７を、増設ユニット２の入力部ＣＮ６に接続する。
【００６７】
その後、作業者が操作部３５に所定の操作をすると、処理部３１は、特定の情報を含む信号（以下、第１の信号Ｓｉｇ１と称す）を出力する（ステップＳ１）。第１の信号Ｓｉｇ１は、基本ユニット１の識別情報をも含む。第１の信号Ｓｉｇ１は、出力端子ＣＮ７を介して、出力装置３に接続された増設ユニット２に入力される。第１の信号Ｓｉｇ１は、通信コネクタＣＮ５を介して、この増設ユニット２に接続された別の増設ユニット２に転送され、さらに、基本ユニット１に転送される。つまり、基本ユニット１において、第１の信号Ｓｉｇ１の入力は、増設用接続部ＣＮ４からなされる。
【００６８】
特定の情報を含む第１の信号Ｓｉｇ１が基本ユニット１のモード切替部１４３に入力されると（図１参照）、モード切替部１４３は、処理部１４１の動作モードを第１のモードから第２のモードに切り替える（ステップＳ２）。すなわち、処理部１４１の動作モードは、記憶部１４２に記憶されたプログラムの変更を行う第２モードとなる。
【００６９】
さらに、出力装置３の処理部３１は、書換え用のプログラムを含む信号（以下、第２の信号Ｓｉｇ２と称す）を出力する（ステップＳ３）。第２の信号Ｓｉｇ２は、基本ユニット１の識別情報をも含む。第２の信号Ｓｉｇ２は、第１の信号Ｓｉｇ１と同様に、２つの増設ユニット２を経由して基本ユニット１の増設用接続部ＣＮ４に入力される。基本ユニット１の処理部１４１は、入力された書換え用のプログラムを、記憶部１４２に記憶させる（ステップＳ４）。
【００７０】
書換え用のプログラムは、複数に分割されて基本ユニット１に送信される。出力装置３の提示部３３は、プログラムの変更に係る処理の進捗状況を表示する（ステップＳ５）。提示部３３は、例えば、書換え用のプログラムを全部送信した場合を１００％として、送信済みのプログラムの容量をパーセント表示により表示する。
【００７１】
また、基本ユニット１が受信した第２の信号Ｓｉｇ２に含まれるデータにビットエラーが生じている場合は、処理部１４１は、データの再送を指示する信号を出力装置３に送信する。これに応じて、出力装置３の処理部３１は、データを再送する。
【００７２】
書換え用のプログラムが全て基本ユニット１に送信され、処理部１４１がプログラムの書換えを完了すると（ステップＳ６）、処理部１４１は、書換えの完了を通知する通知信号（以下、第３の信号Ｓｉｇ３と称す）を出力する（ステップＳ７）。第３の信号Ｓｉｇ３は、増設用接続部ＣＮ４を介して、基本ユニット１に接続された増設ユニット２に入力される。第３の信号Ｓｉｇ３は、入力部ＣＮ６を介して、この増設ユニット２に接続された別の増設ユニット２に転送され、さらに、出力装置３に転送される。
【００７３】
出力装置３の処理部３１は、第３の信号Ｓｉｇ３が入力されると、電力の計測の再開を指示する信号（以下、第４の信号Ｓｉｇ４と称す）を出力する（ステップＳ８）。第４の信号Ｓｉｇ４は、基本ユニット１の識別情報をも含む。第４の信号Ｓｉｇ４は、第１の信号Ｓｉｇ１と同様に、２つの増設ユニット２を経由して基本ユニット１の増設用接続部ＣＮ４に入力される。基本ユニット１のモード切替部１４３は、第４の信号Ｓｉｇ４が入力されると、処理部１４１の動作モードを第２のモードから第１のモードに切り替える（ステップＳ９）。すなわち、処理部１４１の動作モードは、記憶部１４２に記憶されたプログラムを実行することで回路ＥＣ１の電力を求める第１モードとなる。
【００７４】
また、出力装置３に第３の信号Ｓｉｇ３が入力されると、提示部３３は、プログラムの書換えが完了した旨を提示する。すなわち、提示部３３は、プログラムの書換えが完了した旨を文字又は画像等によりディスプレイに表示する（ステップＳ１０）。
【００７５】
なお、基本ユニット１の処理部１４１は、書換え用のプログラムを記憶部１４２に記憶させた場合に、書換え前のプログラムを記憶部１４２から消去させてもよい。
【００７６】
また、プログラムを書き換えるための情報は、ＳＤカード等のメモリカードに記録されて出力装置３に提供されることに限定されず、有線通信又は無線通信の適宜の方式により出力装置３に提供されてもよい。
【００７７】
また、基本ユニット１に増設ユニット２が接続されていない場合は、出力装置３の出力端子ＣＮ７を基本ユニット１の増設用接続部ＣＮ４に接続して、増設ユニット２を経由せずに、出力装置３と基本ユニット１とが直接通信してもよい。あるいは、基本ユニット１から増設ユニット２を取り外して、出力装置３の出力端子ＣＮ７を基本ユニット１の増設用接続部ＣＮ４に接続してもよい。
【００７８】
以上では、基本ユニット１の記憶部１４２に記憶されたプログラムの書換えの手順を説明したが、増設ユニット２の記憶部２４２に記憶されたプログラムの書換えの手順も同様である。以下では、複数の増設ユニット２のうち、出力装置３に直接接続された増設ユニット２の記憶部２４２に記憶されたプログラムの書換えの手順の一例を説明する。
【００７９】
作業者は、まず、プログラムを書き換えるための情報が記憶されたＳＤカードを、出力装置３の入力部３４に接続する。プログラムを書き換えるための情報は、例えば、増設ユニット２の識別情報と、書換え用のプログラムとを含む。
【００８０】
さらに、作業者は、出力装置３の出力端子ＣＮ７を、増設ユニット２の入力部ＣＮ６に接続する。
【００８１】
その後、作業者が操作部３５に所定の操作をすると、処理部３１は、変更情報を含む信号（以下、第５の信号と称す）を出力する。第５の信号は、増設ユニット２の識別情報をも含む。
【００８２】
変更情報を含む第５の信号が増設ユニット２のモード切替部２４３に入力されると、モード切替部２４３は、処理部２４１の動作モードを第１のモードから第２のモードに切り替える。すなわち、処理部２４１の動作モードは、記憶部２４２に記憶されたプログラムの変更を行う第２モードとなる。
【００８３】
さらに、出力装置３の処理部３１は、書換え用のプログラムを含む信号（以下、第６の信号と称す）を出力する。第６の信号は、増設ユニット２の識別情報をも含む。増設ユニット２の処理部２４１は、入力された書換え用のプログラムを、記憶部２４２に記憶させる。
【００８４】
書換え用のプログラムは、複数に分割されて増設ユニット２に送信される。出力装置３の提示部３３は、プログラムの変更に係る処理の進捗状況を表示する。提示部３３は、例えば、書換え用のプログラムを全部送信した場合を１００％として、送信済みのプログラムの容量をパーセント表示により表示する。
【００８５】
また、増設ユニット２が受信した第６の信号に含まれるデータにビットエラーが生じている場合は、処理部２４１は、データの再送を指示する信号を出力装置３に送信する。これに応じて、出力装置３の処理部３１は、データを再送する。
【００８６】
書換え用のプログラムが全て増設ユニット２に送信され、処理部２４１がプログラムの書換えを完了すると、処理部２４１は、書換えの完了を通知する通知信号（以下、第７の信号と称す）を出力する。
【００８７】
出力装置３の処理部３１は、第７の信号が入力されると、電力の計測の再開を指示する信号（以下、第８の信号と称す）を出力する。第８の信号は、増設ユニット２の識別情報をも含む。増設ユニット２のモード切替部２４３は、第８の信号が入力されると、処理部２４１の動作モードを第２のモードから第１のモードに切り替える。すなわち、処理部２４１の動作モードは、記憶部２４２に記憶されたプログラムを実行することで回路ＥＣ１の電力を求める第１モードとなる。
【００８８】
また、出力装置３に第７の信号が入力されると、提示部３３は、プログラムの書換えが完了した旨を提示する。すなわち、提示部３３は、プログラムの書換えが完了した旨を文字又は画像等によりディスプレイに表示する。
【００８９】
なお、複数の増設ユニット２のうち、プログラムの書換え対象となる増設ユニット２が、別の１つ以上の増設ユニット２を介して出力装置３に接続されている場合は、増設ユニット２と出力装置３との通信が１つ以上の増設ユニット２を介して行われる。その他の点では、以上の説明と同様である。
【００９０】
複数の増設ユニット２が互いに接続されている場合は、第５〜第８の信号を複数の増設ユニット２間で通信することで、複数の増設ユニット２の各々の記憶部２４２に記憶されたプログラムが一括して書き換えられてもよい。また、基本ユニット１の記憶部１４２に記憶されたプログラムと、１つ以上の増設ユニット２の記憶部２４２に記憶されたプログラムとが一括して書き換えられてもよい。
【００９１】
ところで、基本ユニット１は、外部通信部１５を備えている。基本ユニット１は、プログラムを書き換えるための情報（特定の情報及び書換え用のプログラム）を、外部通信部１５を介して取得してもよい。すなわち、外部通信部１５は、例えば、ＨＥＭＳ対応機器の制御又は監視を行うコントローラと通信して、コントローラから特定の情報の入力を受け付ける。外部通信部１５を介してモード切替部１４３に特定の情報が入力されると、モード切替部１４３の動作モードが第２のモードに切り替わる。さらに、コントローラから外部通信部１５を介して記憶部１４２に書換え用のプログラムを入力することができる。
【００９２】
また、基本ユニット１は、接続部１６を備えている。基本ユニット１は、プログラムを書き換えるための情報（特定の情報及び書換え用のプログラム）を、接続部１６に接続された記憶メディア（本実施形態では、ＳＤカード）から取得してもよい。例えば、接続部１６にＳＤカードが接続され、作業者が表示装置４の操作部４２に所定の操作をすると、モード切替部１４３の動作モードが第２のモードに切り替わる。さらに、ＳＤカードから記憶部１４２に書換え用のプログラムを入力することができる。
【００９３】
また、基本ユニット１は、コネクタＣＮ８を備えている。コネクタＣＮ８は、出力装置３の出力端子ＣＮ７に接続可能に構成されていてもよい。すなわち、コネクタＣＮ８を介して、基本ユニット１と出力装置３とが接続されてもよい。記憶部１４２に記憶されたプログラムを変更する場合には、作業者は、コネクタＣＮ８から表示装置４を取り外して、コネクタＣＮ８に出力装置３の出力端子ＣＮ７を接続し、出力装置３と基本ユニット１とを通信可能な状態にすることができる。その後、プログラムを書き換えるための情報（特定の情報及び書換え用のプログラム）を、出力装置３からコネクタＣＮ８を介して基本ユニットに入力することができる。
【００９４】
本実施形態によれば、増設用接続部ＣＮ４、外部通信部１５、接続部１６及びコネクタＣＮ８のうち少なくとも１つに特定の情報が入力されることをトリガとして、基本ユニット１の記憶部１４２に記憶されたプログラムが変更される。そのため、プログラムを変更する際に、基本ユニット１を交換しなくてもよい。よって、基本ユニット１を交換する手間を減らせる。
【００９５】
さらに、プログラムを変更するとき以外のときには、増設用接続部ＣＮ４（通信部）、外部通信部１５（通信部）、接続部１６（通信部）及びコネクタＣＮ８（通信部）を、電流センサ１７（又は２７）の検出結果に関する情報の送信（出力）又は受信（入力）のために用いることが可能である。すなわち、複数の通信部の各々を、検出結果に関する情報を送信（出力）又は受信（入力）することと、プログラムを変更することとに兼用できる。そのため、プログラムを変更するための端子等を通信部とは別に設ける場合と比較して、電力計測システム１０の部材点数が増加する可能性を低減できる。
【００９６】
なお、基本ユニット１のいずれかの通信部に入力された情報が、増設ユニット２に転送されてもよい。この場合、例えば、基本ユニット１のいずれかの通信部に入力した情報により、増設ユニット２の記憶部２４２に記憶されたプログラムを書き換えることが可能である。
【００９７】
（実施形態の変形例）
電力計測システム１０と同様の機能は、情報変更方法、（コンピュータ）プログラム、又はプログラムを記録した非一時的記録媒体等で具現化されてもよい。
【００９８】
一態様に係る情報変更方法は、回路ＥＣ１に流れる電流を検出する電流センサ１７、２７の検出結果に基づいて、回路ＥＣ１の電力を動作プログラムに従って求める処理部１４１と、電流センサ１７、２７の検出結果に関する情報を出力する又は当該情報の入力を受け付ける通信部（増設用接続部ＣＮ４、外部通信部１５、接続部１６及びコネクタＣＮ８）と、を備える電力計測システム１０において、通信部に特定の情報が入力されることをトリガとして、動作プログラムを変更する。
【００９９】
別の一態様に係る情報変更方法は、回路ＥＣ１に流れる電流を検出する電流センサ１７、２７の検出結果に基づいて、回路ＥＣ１の電力を動作プログラムに従って求める処理部１４１と、情報を記憶する記憶部１４２と、電流センサ１７、２７を電気的に接続可能な増設ユニット２を接続可能な増設用接続部ＣＮ４と、を備える電力計測システム１０において、増設用接続部ＣＮ４に特定の情報が入力されることをトリガとして、記憶部１４２に記憶された情報を変更する。
【０１００】
一態様に係るプログラムは、コンピュータに、上記のいずれかの情報変更方法を実行させるためのプログラムである。
【０１０１】
本開示における電力計測システム１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における電力計測システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（UltraLarge Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１０２】
また、電力計測システム１０における複数の機能が、１つの筐体内に集約されていることは電力計測システム１０に必須の構成ではなく、電力計測システム１０の構成要素は、複数の筐体に分散して設けられていてもよい。さらに、電力計測システム１０の少なくとも一部の機能がクラウド（クラウドコンピューティング）等によって実現されてもよい。
【０１０３】
反対に、実施形態１において、複数の装置に分散されている電力計測システム１０の少なくとも一部の機能が、１つの筐体内に集約されていてもよい。例えば、基本ユニット１と増設ユニット２とに分散されている電力計測システム１０の一部の機能が、１つの筐体内に集約されていてもよい。また、基本ユニット１と表示装置４とに分散されている電力計測システム１０の一部の機能が、１つの筐体内に集約されていてもよい。
【０１０４】
以下、実施形態の変形例を列挙する。以下の変形例は、適宜組み合わせて実現されてもよい。
【０１０５】
制御部１４には、書換え用のプログラムそのものを含む信号が入力されてもよいし、書換え前のプログラムと書換え後のプログラムとの差分情報を含む信号が入力されてもよい。また、制御部１４には、プログラムを変更するための信号ではなく、記憶部１４２に記憶された所定の情報を変更するための信号が入力されてもよい。所定の情報は、例えば、処理部１４１において回路ＥＣ１の電力を求めるために用いられるパラメータである。所定の情報の別の一例は、電力計測システム１０に含まれる回路（例えば、電圧検出部１１ｒ、１１ｓ、１１ｔ及び信号変換部１３）の動作に関わるプログラム又はパラメータである。
【０１０６】
また、増設用接続部ＣＮ４は、電流センサ２７を取付け可能な増設ユニット２を接続可能な構成に限定されない。増設用接続部ＣＮ４は、例えば、パルス発信機を接続可能な構成であってもよい。パルス発信機は、パルス信号を、水道の使用量又はガスの使用量に応じた回数だけ発信する。基本ユニット１の制御部１４は、パルス発信機の発信回数に基づいて水道の使用量又はガスの使用量を求める。また、増設用接続部ＣＮ４は、例えば、温度センサ、湿度センサ、風速計又は日射計を接続可能な構成であってもよい。つまり、出力装置３を接続可能な通信部（増設用接続部ＣＮ４）が、増設ユニット２を接続するための構成を兼ねていることは、必須ではなく、増設ユニット２以外の機器を接続するための構成を兼ねていてもよい。
【０１０７】
また、電力計測システム１０は、通信部として増設用接続部ＣＮ４、外部通信部１５、接続部１６及びコネクタＣＮ８のうち少なくとも１つを備えていればよい。
【０１０８】
また、電力計測システム１０の計測対象は、３相４線式の回路以外の、例えば３相３線式、単相３線式、単相２線式の回路であってもよい。
【０１０９】
また、基本ユニット１の処理部１４１でプログラムの書換えが開始されるトリガとなる特定の情報と、増設ユニット２の処理部２４１でプログラムの書換えが開始されるトリガとなる変更情報とは、同じ情報であってもよいし、異なる情報であってもよい。
【０１１０】
また、特定の情報と書換え用のプログラムとが、通信部に入力される１つの信号に含まれていてもよい。
【０１１１】
また、書換え用のプログラムそのものが、特定の情報であってもよい。つまり、処理部１４１は、書換え用のプログラムが入力されることをトリガとしてプログラムの書換えを開始してもよい。
【０１１２】
また、実施形態では、基本ユニット１のモード切替部１４３は、第４の信号Ｓｉｇ４が入力されると、処理部１４１の動作モードを第２のモードから第１のモードに切り替える。このように、モード切替部１４３は、特定の情報を含む信号以外の信号の入力に応じて処理部１４１の動作モードを第１のモードにしてもよい。あるいは、モード切替部１４３は、特定の情報が入力される度に、処理部１４１の動作モードを第１のモードと第２のモードとに交互に切り替えてもよい。
【０１１３】
また、基本ユニット１に係る構成は、増設ユニット２にも適宜適用されてもよい。反対に、増設ユニット２に係る構成は、基本ユニット１にも適宜適用されてもよい。
【０１１４】
また、基本ユニット１には、１つ以上の増設ユニット２を接続可能であるが、基本ユニット１は、増設ユニット２を接続することなく使用されてもよい。
【０１１５】
また、増設ユニット２の個数は、２つに限定されず、１つ又は３つ以上であってもよい。
【０１１６】
また、複数の電流センサ１７、２７は、電力計測システム１０の構成に含まれていてもよい。
【０１１７】
また、各電流センサ１７、２７は、変流器に限定されず、例えば、シャント抵抗器を用いた電流センサ、又は、ホール素子を用いた電流センサであってもよい。
【０１１８】
また、基本ユニット１及び複数の増設ユニット２の各々に接続される電流センサ１７（又は２７）の個数は、特に限定されず、１〜３つであってもよいし、５つ以上であってもよい。
【０１１９】
また、処理部１４１は、プログラムの書換えを完了すると、出力装置３から第４の信号Ｓｉｇ４が入力されることを待たずに、直ちに動作モードを第１モードに切り替えてもよい。
【０１２０】
（まとめ）
以上説明した実施形態等から、以下の態様が開示されている。
【０１２１】
第１の態様に係る電力計測システム１０は、処理部１４１と、通信部（増設用接続部ＣＮ４、外部通信部１５、接続部１６及びコネクタＣＮ８）と、を備える。処理部１４１は、回路ＥＣ１に流れる電流を検出する電流センサ１７（又は２７）の検出結果に基づいて、回路ＥＣ１の電力を動作プログラムに従って求める。通信部は、検出結果に関する情報を出力する又は当該情報の入力を受け付ける。通信部に特定の情報が入力されることをトリガとして、動作プログラムが変更される。
【０１２２】
上記の構成によれば、通信部（増設用接続部ＣＮ４、外部通信部１５、接続部１６又はコネクタＣＮ８）に特定の情報が入力されることをトリガとして、動作プログラムが変更される。そのため、動作プログラムを変更する際に、電力計測システム１０のうち動作プログラムを記憶した機器（基本ユニット１）を交換する手間を減らせる。さらに、通信部を、検出結果に関する情報を出力する又は当該情報の入力を受け付けることと、動作プログラムを変更することとに兼用できる。そのため、動作プログラムを変更するための端子等を通信部とは別に設ける場合と比較して、電力計測システム１０の部材点数が増加する可能性を低減できる。
【０１２３】
また、第２の態様に係る電力計測システム１０では、第１の態様において、通信部は、増設用接続部ＣＮ４を含む。増設用接続部ＣＮ４は、増設ユニット２を接続可能である。増設ユニット２は、電流センサ２７を電気的に接続可能である。
【０１２４】
上記の構成によれば、増設用接続部ＣＮ４を、増設ユニット２の接続と動作プログラムの変更とに兼用できる。そのため、動作プログラムを変更するための端子等を増設用接続部ＣＮ４とは別に設ける場合と比較して、電力計測システム１０の部材点数が増加する可能性を低減できる。
【０１２５】
また、第３の態様に係る電力計測システム１０は、第２の態様において、増設ユニット２を更に備える。増設ユニット２は、入力部ＣＮ６を備える。入力部ＣＮ６には、変更情報が入力される。増設ユニット２の入力部ＣＮ６に変更情報が入力されることをトリガとして、増設ユニット２を動作させるためのプログラムが変更される。
【０１２６】
上記の構成によれば、増設ユニット２を動作させるためのプログラムを変更可能である。
【０１２７】
また、第４の態様に係る電力計測システム１０では、第３の態様において、特定の情報は、増設ユニット２の入力部ＣＮ６を介して通信部（増設用接続部ＣＮ４）に入力される。
【０１２８】
上記の構成によれば、増設用接続部ＣＮ４に増設ユニット２を接続したままの状態で、動作プログラムを変更できる。
【０１２９】
また、第５の態様に係る電力計測システム１０では、第１〜４の態様のいずれか１つにおいて、通信部は、記憶メディア接続部（接続部１６）を含む。記憶メディア接続部には、記憶メディアが接続される。
【０１３０】
上記の構成によれば、記憶メディアに記録された動作プログラム等を通信部へ入力できる。
【０１３１】
また、第６の態様に係る電力計測システム１０では、第１〜５の態様のいずれか１つにおいて、通信部は、外部通信部１５を含む。外部通信部１５は、外部装置と通信する。
【０１３２】
上記の構成によれば、外部通信部１５を介して外部装置（例えば、コントローラ）と通信することにより、動作プログラムを変更できる。
【０１３３】
また、第７の態様に係る電力計測システム１０では、第１〜６の態様のいずれか１つにおいて、処理部１４１は、動作モードとして、動作プログラムを実行する第１のモードと、動作プログラムの変更を行う第２のモードと、を有する。通信部（増設用接続部ＣＮ４、外部通信部１５、接続部１６及びコネクタＣＮ８）に特定の情報が入力されると、動作モードが第２のモードになる。
【０１３４】
上記の構成によれば、動作プログラムを変更する作業を行う作業者は、処理部１４１の動作モードを第１のモードと第２のモードとで切り替えて作業できる。
【０１３５】
また、第８の態様に係る電力計測システム１０では、第１〜７の態様のいずれか１つにおいて、動作プログラムの変更が完了すると、通信部は、動作プログラムの変更の完了を通知する通知信号を出力する。
【０１３６】
上記の構成によれば、動作プログラムを変更する作業を行う作業者は、作業の完了を知ることができる。
【０１３７】
また、第９の態様に係る電力計測システム１０は、第１〜８の態様のいずれか１つにおいて、出力装置３を更に備える。出力装置３は、通信部に特定の信号及び動作プログラムに関する情報を出力する。出力装置３は、提示部３３を備える。提示部３３は、動作プログラムの変更に係る処理の進捗状況を提示する。
【０１３８】
上記の構成によれば、動作プログラムを変更する作業を行う作業者は、動作プログラムの変更に係る処理の進捗状況を知ることができる。
【０１３９】
第１の態様以外の構成については、電力計測システム１０に必須の構成ではなく、適宜省略可能である。
【０１４０】
また、第１０の態様に係る電力計測システム１０は、処理部１４１と、記憶部１４２と、増設用接続部ＣＮ４と、を備える。処理部１４１は、回路ＥＣ１に流れる電流を検出する電流センサ１７（又は２７）の検出結果に基づいて、回路ＥＣ１の電力を動作プログラムに従って求める。記憶部１４２は、情報を記憶する。増設用接続部ＣＮ４は、増設ユニット２を接続可能である。増設ユニット２は、電流センサ２７を電気的に接続可能である。増設用接続部ＣＮ４に特定の情報が入力されることをトリガとして、記憶部１４２に記憶された情報が変更される。
【０１４１】
上記の構成によれば、増設用接続部ＣＮ４に特定の情報が入力されることをトリガとして、記憶部１４２に記憶された情報が変更されるので、情報を変更する際に、電力計測システム１０のうち記憶部１４２を含む機器（基本ユニット１）を交換する手間を減らせる。さらに、増設用接続部ＣＮ４を、増設ユニット２の接続と、情報を変更することとに兼用できる。そのため、情報を変更するための端子等を増設用接続部ＣＮ４とは別に設ける場合と比較して、電力計測システム１０の部材点数が増加する可能性を低減できる。
【０１４２】
第１〜９の態様に係る構成は、第１０の態様にも適宜適用可能である。
【０１４３】
また、第１１の態様に係る情報変更方法は、回路ＥＣ１に流れる電流を検出する電流センサ１７（又は２７）の検出結果に基づいて、回路ＥＣ１の電力を動作プログラムに従って求める処理部１４１と、検出結果に関する情報を出力する又は当該情報の入力を受け付ける通信部（増設用接続部ＣＮ４、外部通信部１５、接続部１６及びコネクタＣＮ８）と、を備える電力計測システム１０において、通信部に特定の情報が入力されることをトリガとして、動作プログラムを変更する。
【０１４４】
上記の構成によれば、通信部（増設用接続部ＣＮ４、外部通信部１５、接続部１６又はコネクタＣＮ８）に特定の情報が入力されることをトリガとして、動作プログラムが変更される。そのため、動作プログラムを変更する際に、電力計測システム１０のうち動作プログラムを記憶した機器（基本ユニット１）を交換する手間を減らせる。さらに、通信部を、検出結果に関する情報を出力する又は当該情報の入力を受け付けることと、動作プログラムを変更することとに兼用できる。そのため、動作プログラムを変更するための端子等を通信部とは別に設ける場合と比較して、電力計測システム１０の部材点数が増加する可能性を低減できる。
【０１４５】
また、第１２の態様に係る情報変更方法は、回路ＥＣ１に流れる電流を検出する電流センサ１７（又は２７）の検出結果に基づいて、回路ＥＣ１の電力を動作プログラムに従って求める処理部１４１と、情報を記憶する記憶部１４２と、電流センサ２７を電気的に接続可能な増設ユニット２を接続可能な増設用接続部ＣＮ４と、を備える電力計測システム１０において、増設用接続部ＣＮ４に特定の情報が入力されることをトリガとして、記憶部１４２に記憶された情報を変更する。
【０１４６】
上記の構成によれば、増設用接続部ＣＮ４に特定の情報が入力されることをトリガとして、記憶部１４２に記憶された情報が変更されるので、情報を変更する際に、電力計測システム１０のうち記憶部１４２を含む機器（基本ユニット１）を交換する手間を減らせる。さらに、増設用接続部ＣＮ４を、増設ユニット２の接続と、情報を変更することとに兼用できる。そのため、情報を変更するための端子等を増設用接続部ＣＮ４とは別に設ける場合と比較して、電力計測システム１０の部材点数が増加する可能性を低減できる。
【０１４７】
また、第１３の態様に係るプログラムは、第１１又は１２の態様に係る情報変更方法を、コンピュータシステムに実行させる。
【０１４８】
上記の構成によれば、電力計測システム１０の機器の交換の手間を減らしつつ、部材点数が増加する可能性を低減できる。
【０１４９】
上記態様に限らず、実施形態に係る電力計測システム１０の種々の構成（変形例を含む）は、情報変更方法及びプログラムにて具現化可能である。
【符号の説明】
【０１５０】
１０  電力計測システム
１４１  処理部
１４２  記憶部
１５  外部通信部
１６  接続部（記憶メディア接続部）
１７  電流センサ
２  増設ユニット
２７  電流センサ
３  出力装置
３３  提示部
ＣＮ４  増設用接続部
ＣＮ６  入力部
ＥＣ１  回路
【図１】
2020106311.tif 000003
【図２】
2020106311.tif 000004
【図３】
2020106311.tif 000005